(57)【要約】【課題】架台への取付工数を低減する太陽電池パネルの取付装置及びこの取付装置を具備する太陽電池パネルを提供する。【解決手段】第１の実施形態の取付装置は、係止部材を挿通するための挿通孔を有するベース部と、ベース部の底部から架台の取付桟の厚み以上の高さを有する掛止部と、を備える。また、第２の実施形態の取付装置は、さらに、ベース部の辺縁部に設けられ、掛止部の高さ方向とは逆方向に伸びる回転防止部を有する。取付装置を備える太陽電池パネルは取付桟に摺動させるだけにより取り付けることが可能となる。【選択図】図１
2011061087.tif 000002
【特許請求の範囲】
【請求項１】
太陽電池パネルのフレームに係止するための係止部材を挿通する挿通孔を有するベース部と、
前記ベース部の底部から前記太陽電池パネルを掛ける架台の取付桟の厚みと同等な高さを有し、前記ベース部の辺縁に前記挿通孔を露出するように設けられ、前記取付桟に摺動して嵌合する掛止部と、
を備えることを特徴とする太陽電池パネルの取付装置。
【請求項２】
前記ベース部は、
前記ベース部の辺縁部のうち一の辺縁部に設けられ、前記掛止部の高さ方向とは逆方向に伸び、前記取付桟の厚み以上の高さを有する回転防止部をさらに備えることを特徴とする請求項１記載の太陽電池パネルの取付装置。
【請求項３】
前記掛止部は、
前記ベース部の底部から前記太陽電池パネルを掛ける架台の取付桟の厚み以上の高さを有することを特徴とする請求項１又は請求項２に記載の太陽電池パネルの取付装置。
【請求項４】
前記掛止部は、
先端から前記ベース部に向かって前記掛止部の厚みが増すようにテーパ部が形成されることを特徴とする請求項１又は請求項２に記載の太陽電池パネルの取付装置。
【請求項５】
太陽電池と、
前記太陽電池を把持するフレームと、
前記フレームに係止するための係止部材を挿通する挿通孔を有するベース部と、前記ベース部の底部から架台の取付桟の厚みと同等な高さを有し、前記ベース部の辺縁に前記挿通孔を露出するように設けられ、前記取付桟に摺動して嵌合する掛止部と、を備え、前記係止部材により前記フレームに係止された取付装置と、
を備えることを特徴とする太陽電池パネル。
【請求項６】
前記ベース部は、
前記ベース部の辺縁部のうち一の辺縁部に設けられ、前記掛止部の高さ方向とは逆方向に伸び、前記取付桟の厚み以上の高さを有する回転防止部をさらに備えることを特徴とする請求項５記載の太陽電池パネル。
【請求項７】
前記掛止部は、
前記ベース部の底部から前記太陽電池パネルを掛ける架台の取付桟の厚み以上の高さを有することを特徴とする請求項５又は請求項６に記載の太陽電池パネル。
【請求項８】
前記掛止部は、
先端から前記ベース部に向かって前記掛止部の厚みが増すようにテーパ部が形成されることを特徴とする請求項５又は請求項６に記載の太陽電池パネル。
【発明の詳細な説明】
【技術分野】
【０００１】
本発明は、取付工数を低減する太陽電池パネルの取付装置及びこの取付装置を具備する太陽電池パネルに関する。
【背景技術】
【０００２】
近年、太陽光発電システムは地球温暖化防止の観点から急速に普及している。最近ではメガワット級の大規模発電所の建設がおこなわれるようになった。このような大規模太陽光発電施設においては、地上に設置した架台に多数の太陽電池パネルを設置する必要がある。従来の太陽光発電施設においては、架台に太陽電池パネルをボルトとナットなどのような係止部材を用いて固定しており、工数がかかるという問題点がある。
【０００３】
この点に関し、２枚の太陽電池パネルを架台に取り付ける取付装置が提案されている（例えば、特許文献１）。
【先行技術文献】
【特許文献】
【０００４】
【特許文献１】特開２００３−７４１５４号公報
【発明の概要】
【発明が解決しようとする課題】
【０００５】
しかし、特許文献１記載の技術によっては、削減できる工数が限られており、大規模太陽光発電施設の建設に適用するためにはさらなる工数の削減が求められている。
【０００６】
本発明は、架台への取付工数を低減する太陽電池パネルの取付装置及びこの取付装置を具備する太陽電池パネルを提供することを目的とする。
【課題を解決するための手段】
【０００７】
本発明は、太陽電池パネルのフレームに係止するための係止部材を挿通する挿通孔を有するベース部と、ベース部の底部から太陽電池パネルを掛ける架台の取付桟の厚みより高い高さを有し、ベース部の辺縁に挿通孔を露出するように設けられ、取付桟に摺動して嵌合する掛止部と、を備えることを特徴とする太陽電池パネルの取付装置を提供する。
【発明の効果】
【０００８】
本発明によれば、太陽電池パネルを架台に取り付ける際の工数を削減できるという効果がある。
【図面の簡単な説明】
【０００９】
【図１】第１の実施形態の取付装置を示す図である。
【図２】第１の実施形態の取付装置をフレームに取り付けた様子を示す図である。
【図３】第２の実施形態の取付装置を示す図である。
【図４】第２の実施形態の取付装置をフレームに取り付けた様子を示す図である。
【図５】太陽電池パネルに取付装置を装着した様子を示す図である。
【図６】取付装置を備える太陽電池パネルの架台への取付方法を示す図である。
【発明を実施するための形態】
【００１０】
以下に、本発明の一実施形態に係る太陽電池パネルの取付装置及びこの取付装置を備える太陽電池パネルを、図面を参照して詳細に説明する。図１は、第１の実施形態の取付装置１０を示す図である。
【００１１】
図１（Ａ）は取付装置１０の外観斜視図である。図１（Ａ）に示すように、取付装置１０は、ボルトなどのような係止部材を挿通するための挿通孔１０Ｂを有するベース部１０Ａと、ベース部１０Ａの底部から架台の取付桟６１（図６参照）の厚みより高い高さＨ１を有する掛止部１０Ｃと、を備える。
【００１２】
図１（Ｂ）は図１（Ａ）の矢印Ａの方向から見た取付装置１０の側面図である。図１（Ｂ）に示すように、掛止部１０Ｃは、挿通孔１０Ｂを覆わないよう、すなわち挿通孔１０Ｂを露出するようにベース部１０Ａの辺縁部に設けられる。高さＨ１は、取付桟６１に嵌め込むため取付桟６１の厚みと等しいことが望ましい。なお、高さＨ１は、取付桟６１に嵌め込むための十分な厚さを必要とする場合がある。従って、がたつきや間隙腐食が発生しにくい高さの範囲内にて、高さＨ１は取付桟６１の厚みより１〜３ｍｍ高くすることができる。
【００１３】
掛止部１０Ｃの長さＬ１は取付桟６１の幅Ｗ１以下の長さを有する。掛止部１０Ｃの長さＬ１は取付桟６１の幅Ｗ１と等しいことが望ましい。
【００１４】
図１（Ｃ）は図１（Ａ）の矢印Ｂの方向から見た取付装置１０の正面図である。図１（Ｃ）に示すように、取付装置１０の幅Ｌ２は太陽電池パネル５０のフレーム１２（図５参照）の幅Ｌ０以下である。
【００１５】
図１（Ｄ）は取付装置１０の上面図である。図１（Ｄ）に示すように、挿通孔１０Ｂはベース部１０Ａの中央に設けられる。
【００１６】
取付装置１０の材質は金属が用いられる。金属の例としては、ステンレス鋼、溶融亜鉛メッキした鉄などが挙げられる。
【００１７】
図２は、取付装置１０をフレーム１２に取り付けた様子を示す図である。図２（Ａ）は取付装置１０をフレーム１２に取り付けた様子を示す外観斜視図である。図２（Ａ）に示すように、取付装置１０はフレーム１２に係止部材１１により係止される。
【００１８】
取付装置１０は、フレーム１２が有するボルト穴と、挿通孔１０Ｂとに係止部材１１を挿通してフレーム１２に係止される。フレーム１２と掛止部１０Ｃとの間には高さＨ１の間隙が生じる。
【００１９】
図２（Ｂ）は、図２（Ａ）の矢印Ａの方向から見た取付装置１０の側面図である。図２（Ｂ）に示すように、係止部材１１は例えばボルト１１Ａと、バネ座金１１Ｂと、座金１１Ｃと、ナット１１Ｄとを用いることができる。
【００２０】
図２（Ｃ）は、図２（Ａ）の矢印Ａの方向から見たテーパつき取付装置１０の側面図である。図２（Ｃ）に示すように、取付装置１０は掛止部１０Ｃにテーパ部１０Ｃ１を有するように形成することができる。テーパ部１０Ｃ１は、掛止部１０Ｃの先端が薄く、掛止部１０Ｃからベース部１０Ａ方向に向かって掛止部１０Ｃの厚みが増すように形成される。  テーパ部１０Ｃ１のテーパ角度θは４５°未満が望ましい。
【００２１】
取付装置１０はテーパ部１０Ｃ１を有することにより、取付桟６１によりスムーズに嵌め込まれることが可能となる。
【００２２】
図３は、第２の実施形態の取付装置２０を示す図である。図３（Ａ）は取付装置２０の外観斜視図である。図３（Ａ）に示すように、取付装置２０は、ボルトなどのような係止部材１１を挿通するための挿通孔２０Ｂを有するベース部２０Ａと、ベース部２０Ａの底部から架台の取付桟６１（図６参照）の厚みより高い高さＨ１を有する掛止部２０Ｄと、ベース部２０Ａの辺縁部のうち一の辺縁部に設けられ、掛止部２０Ｄの高さ方向Ｐ１とは逆方向Ｐ２に伸びる回転防止部２０Ｃと、を備える。
【００２３】
すなわち、ベース部２０Ａは、挿通孔２０Ｂを有する第１の面に断面Ｌ字型の掛止部２０Ｄと、第１の面と対向する面に断面Ｉ字型の回転防止部２０Ｃと、を備える。
【００２４】
回転防止部２０Ｃは、ベース部２０Ａの底部から架台の取付桟６１の厚み以上の高さＨ２を有する。
【００２５】
図３（Ｂ）は図３（Ａ）の矢印Ａの方向から見た取付装置２０の側面図である。図３（Ｂ）に示すように、掛止部２０Ｄは、挿通孔２０Ｂを覆わないようにベース部２０Ａの一端に設けられる。高さＨ１は、取付桟６１に嵌め込むため取付桟６１の厚みと等しいことが望ましい。なお、高さＨ１は、取付桟６１に嵌め込むための十分な厚さを必要とする場合がある。従って、がたつきや間隙腐食が発生しにくい高さの範囲内にて、高さＨ１は取付桟６１の厚みより１〜３ｍｍ高くすることができる。
【００２６】
掛止部２０Ｄの長さＬ１は取付桟６１の幅Ｗ１以下の長さを有する。掛止部１０Ｄの長さＬ１は取付桟６１の幅Ｗ１と等しいことが望ましい。
【００２７】
図３（Ｃ）は図３（Ａ）の矢印Ｂの方向から見た取付装置２０の正面図である。図３（Ｃ）に示すように、取付装置２０の幅Ｌ２は太陽電池パネル５０のフレーム１２（図５参照）の幅Ｌ０以下である。
【００２８】
図３（Ｄ）は取付装置２０の上面図である。図３（Ｄ）に示すように、挿通孔２０Ｂはベース部２０Ａの中央に設けられる。
【００２９】
取付装置２０の材質は金属が用いられる。金属の例としては、ステンレス鋼、溶融亜鉛メッキした鉄などが挙げられる。
【００３０】
図４は、取付装置２０をフレーム１２に取り付けた様子を示す図である。図４（Ａ）は取付装置２０をフレーム１２に取り付けた様子を示す外観斜視図である。図４（Ａ）に示すように、取付装置２０はフレーム１２に係止部材１１により係止される。
【００３１】
取付装置２０は、フレーム１２が有するボルト穴と、挿通孔１０Ｂとに係止部材１１を挿通してフレーム１２に係止される。フレーム１２と掛止部１０Ｃとの間には高さＨ１の間隙が生じる。
【００３２】
取付装置２０がフレーム１２に係止されると、回転防止部２０Ｃはフレーム１２の側面に対向して合わさり、取付装置２０が回転することを阻止する。
【００３３】
図４（Ｂ）は、図４（Ａ）の矢印Ａの方向から見た取付装置２０の側面図である。図４（Ｂ）に示すように、係止部材１１は例えばボルト１１Ａと、バネ座金１１Ｂと、座金１１Ｃと、ナット１１Ｄとを用いることができる。
【００３４】
図４（Ｃ）は、図４（Ａ）の矢印Ａの方向から見たテーパつき取付装置２０の側面図である。図４（Ｃ）に示すように、取付装置２０は掛止部２０Ｄにテーパ部２０Ｄ１を有するように形成することができる。テーパ部２０Ｄ１は、掛止部２０Ｄの先端が薄く、掛止部２０Ｄからベース部２０Ａ方向に向かって掛止部２０Ｄの厚みが増すように形成される。  テーパ部２０Ｄ１のテーパ角度θは４５°未満が望ましい。
【００３５】
取付装置２０はテーパ部２０Ｄ１を有することにより、取付桟６１によりスムーズに嵌め込まれることが可能となる。
【００３６】
図５は、太陽電池パネル５０に取付装置５１（以下、取付装置１０と取付装置２０とを総称して取付装置５１と呼ぶ。）を装着した様子を示す図である。図５（Ａ）は、太陽電池パネルを裏面から見た図であり、図５（Ｂ）は図５（Ａ）のＣＣ線断面図である。
【００３７】
図５（Ａ）に示すように、取付装置５１は掛止部５２（以下、掛止部１０Ｃと掛止部２０Ｄとを総称して掛止部５２と呼ぶ。）を同一方向に向くように太陽電池パネル５０のフレーム１２に取り付けられる。
【００３８】
取付装置５１はフレーム１２に４か所取り付けることができる。なお、取付装置５１をフレー１２に２か所取り付け、残りのボルト穴を使用して従来の取付装置を取り付けてもよい。
【００３９】
フレーム１２は略コの字型をしており、一端に太陽電池１３を把持し、他端にボルト穴を有するフレーム端部１２Ａを有する。
【００４０】
図６は、取付装置５１を備える太陽電池パネル５０の架台６０への取付方法を示す図である。図６（Ａ）及び図６（Ｂ）に示すように、架台６０は横方向に太陽電池パネル５０を取り付けるための取付桟６１を有する。取付桟６１は一方向に傾斜して架台６０に取り付けられる。
【００４１】
図６（Ｃ）乃至図６（Ｅ）は、取付桟６１の断面図である。図６（Ｃ）乃至図６（Ｅ）に示すように、取付桟６１はＬ型、Ｃ型、Ｚ型、Ｈ型などを用いることができるが、いずれの取付桟６１も取付平面６２を有している。
【００４２】
太陽電池パネル５０は、取付桟６１の取付平面６２がフレーム１２と掛止部５２との間隙に入り込むように、矢印Ｘ１乃至矢印Ｘ２の方向に摺動させて取り付けられる。
【００４３】
取付桟６１は、一方向に傾斜しているため、太陽電池パネル５０は自重により取付装置５１が取付桟６１に嵌り込み、取付桟６１から抜けることがない。
【００４４】
以上述べたように、第１の実施形態の取付装置１０は、係止部材を挿通するための挿通孔１０Ｂを有するベース部１０Ａと、ベース部１０Ａの底部から架台の取付桟６１の厚みより高い高さＨ１を有する掛止部１０Ｃと、を備える。また、第２の実施形態の取付装置２０は、さらに、ベース部２０Ａの辺縁部に設けられ、掛止部２０Ｄの高さ方向Ｐ１とは逆方向Ｐ２に伸びる回転防止部２０Ｃを有する。従って、取付装置５１を備える太陽電池パネル５０は取付桟６１に摺動させるだけにより取り付けることが可能となり、取付工数を削減することが可能となるという効果がある。さらに、第２の実施形態の取付装置２０は取付装置２０が回転することを防止することができ、太陽電池パネルの取付時に水平方向に力が加わっても取付装置２０がずれることがなく、取り付け作業をより迅速に行うことができるという効果がある。
【符号の説明】
【００４５】
１０，２０：取付装置、
１０Ａ，２０Ａ：ベース部、
１０Ｂ，２０Ｂ：挿通孔、
１０Ｃ，２０Ｄ：掛止部、
２０Ｃ：回転防止部。
【図１】
2011061087.tif 000003
【図２】
2011061087.tif 000004
【図３】
2011061087.tif 000005
【図４】
2011061087.tif 000006
【図５】
2011061087.tif 000007
【図６】
2011061087.tif 000008